(57)【要約】【課題】ランバーサポート本体の変形許容度を大きくすることで、着座者が着座したときにランバーサポート本体が腰部と点接触して圧迫感が生じるのを抑制するとともに、腰部を適度に支持することが可能なランバーサポート及び椅子を提供すること。【解決手段】着座面と、前記着座面に対して立設された背凭れとを備えた椅子に用いられるランバーサポート７０であって、左右方向に延在するとともに側面視前方に膨出して形成され、弾性変形可能とされたランバーサポート本体７１と、前記ランバーサポート本体７１の支持部を左右側で支持する一対の側枠部材７３と、前記側枠部材７３を支持するとともに前記側枠部材７３を前記背凭れに取付ける取付部材８０とを備え、前記ランバーサポート本体７１は、後方に変形可能な自由縁が上下に形成されていることを特徴とする。【選択図】図１１
2014079519.tif 000002
【特許請求の範囲】
【請求項１】
着座面と、前記着座面に対して立設された背凭れとを備えた椅子に用いられるランバーサポートであって、
左右方向に延在するとともに側面視前方に膨出して形成され、弾性変形可能とされたランバーサポート本体と、
前記ランバーサポート本体の支持部を左右側で支持する一対の側枠部材と、
前記側枠部材を支持するとともに前記側枠部材を前記背凭れに取付ける取付部材と、を備え、
前記ランバーサポート本体は、後方に変形可能な自由縁が上下に形成されていることを特徴とするランバーサポート。
【請求項２】
請求項１に記載のランバーサポートであって、
前記取付部材は、
左右方向に延在し前記側枠部材を左右方向で連結する連結部と、前記連結部を支持するとともに前記側枠部材を前記背凭れに取付ける取付部と、を備えることを特徴とするランバーサポート。
【請求項３】
請求項１又は請求項２に記載のランバーサポートであって、
前記側枠部材は、
前記ランバーサポート本体の左右両側の縁部に向かって突出し、前記ランバーサポート本体と左右両側縁部とを係止する突出部を備えることを特徴とするランバーサポート。
【請求項４】
請求項３に記載のランバーサポートであって、
前記突出部は、
前記ランバーサポート本体の左右両縁部と対応して前記側枠部材に複数形成され、
少なくとも一部は、前記ランバーサポート本体内に進入して係止することを特徴とするランバーサポート。
【請求項５】
請求項４に記載のランバーサポートであって、
前記ランバーサポート本体内に進入して係止する突出部は、周縁が閉じられた貫通孔を有する有孔係止壁部を備え、
前記貫通孔に、前記ランバーサポート本体内に形成され前記ランバーサポート本体の厚さ方向に伸びる被係止部が貫通していることを特徴とするランバーサポート。
【請求項６】
請求項１〜５のいずれか１項に記載のランバーサポートであって、
前記背凭れの上下方向に沿って形成された左右一対の縦枠部材を椅子に用いられ、
前記取付部材の左右に延出し、前記縦枠部材と係合する翼壁部を備えることを特徴とするランバーサポート。
【請求項７】
着座面と、
背凭れと、を備え、
張材が張設された椅子であって、
前記張材の後方に、前記請求項１〜６のいずれか１項に記載のランバーサポートが配置されていることを特徴とする椅子。
【発明の詳細な説明】
【技術分野】
【０００１】
本発明は、ランバーサポート及び椅子に関するものである。
【背景技術】
【０００２】
周知のように、椅子は、脚体と、該脚体の上部に設けられた座部と、該座部に着座する着座者を支持する背部とを有することを基本とする様々な構成のものが知られている。
たとえば、長時間にわたって着座した着座者の疲労軽減を図るために、椅子にランバーサポートを設けて着座者の腰椎近傍を支持する技術が知られている。
【０００３】
ランバーサポートは、腰椎の所定位置を適切に支持することが必要とされ、かかる課題を解決するために種々の技術が開示されている（例えば、特許文献１〜８参照。）。
【０００４】
これらの椅子は、いずれも方形の枠部材に張材を張設して着座面を構成して、張材の後方にランバーサポートを配設する構成とされており、張材の内部にウレタン等からなるクッション材を収容して構成された背凭れの後方にランバーサポートが設けられた椅子と比較すると、ランバーサポートと腰部との距離が近くなり、ランバーサポートによる支持力(押圧力)を、着座者の腰部に直接的に作用させられる点で優れている。
【先行技術文献】
【特許文献】
【０００５】
【特許文献１】米国特許第６５８８８４２号明細書
【特許文献２】特許第４１３３０６７号公報
【特許文献３】特開２００７‐１９０２１９号公報
【特許文献４】米国特許第７３４４１９４号明細書
【特許文献５】特開２０１２‐０１０８６６号公報
【特許文献６】国際公開第２００６／０９４２５８号
【特許文献７】米国特許第７２４９８０２号明細書
【特許文献８】特開２００６‐２８０４１６号公報
【発明の概要】
【発明が解決しようとする課題】
【０００６】
しかしながら、上記の特許文献１〜５に記載の技術は、張材の内部にクッション材収容されており、しかも、特許文献１、２、５に記載されたランバーサポートは、背凭れの背面側において左右方向中央部に配置されており、背凭れの左右方向中央部は着座者の背中と最も早いタイミングで接触するので、ランバーサポートの最も前方側の部分が着座者の背中の左右方向中央の部位に、まるで点接触するように小さな範囲を支持するので、着座者に圧迫感を与える場合がある。
【０００７】
また、上記特許文献６、７に記載の技術は、着座者の背中の動きに対して高い追従性を有しているものの、ランバーサポートが充分に変形するとはいえず、必ずしも快適な座り心地が得られるとはいいがたい。
【０００８】
また、上記特許文献８に記載の技術は、ランバーサポート本体を、エラストマ等の軟質な素材により形成し、上下端部をランバーサポート取付部材に支持して後方に撓み空間が生じるように構成されているので、着座者の背中に対する非常に高い追従性が確保されている。
【０００９】
そこで、発明者らは、腰椎を適度に支持することが可能なランバーサポートについて鋭意研究した結果、上記特許文献８に係るランバーサポートは、ランバーサポート本体が面方向につぶれて着座者の背筋に沿って上下方向に変形しやすいことから、着座者の背中の左右方向での変形許容度を向上してランバーサポートが点接触するのを抑制することで、着座者の圧迫感を軽減しつつ腰椎を適度に支持することができるとの知見を得た。
【００１０】
本発明は、上記事情に鑑みてなされたものであり、ランバーサポート本体の左右方向の変形許容度を大きくすることで、着座者が着座したときにランバーサポート本体が腰部と点接触して圧迫感が生じるのを抑制するとともに、腰部を適度に支持することが可能なランバーサポート及び椅子を提供することを目的とする。
【課題を解決するための手段】
【００１１】
上記問題を解決するため、この発明は、以下の手段を提案している。
請求項１に記載の発明は、着座面と、前記着座面に対して立設された背凭れとを備えた椅子に用いられるランバーサポートであって、左右方向に延在するとともに側面視前方に膨出して形成され、弾性変形可能とされたランバーサポート本体と、前記ランバーサポート本体の支持部を左右側で支持する一対の側枠部材と、前記側枠部材を支持するとともに前記側枠部材を前記背凭れに取付ける取付部材とを備え、前記ランバーサポート本体は、後方に変形可能な自由縁が上下に形成されていることを特徴とする。
【００１２】
請求項７に記載の発明は、着座面と、背凭れとを備え、張材が張設された椅子であって、前記張材の後方に、前記請求項１〜６のいずれか１項に記載のランバーサポートが配置されていることを特徴とする。
【００１３】
この発明に係るランバーサポート及び椅子によれば、ランバーサポート本体は、後方に変形可能な自由縁が上下に形成されているので、ランバーサポート本体の左右方向の変形許容度が大きくなり、ランバーサポート本体の上下方向の広い範囲にわたって、ランバーサポート本体の中央が左右方向両側から囲われるように変形する。
その結果、着座者が着座したときに、ランバーサポート本体が腰部と点接触して圧迫感が生じるのを抑制するとともに、腰部を適度に支持することができる。
【００１４】
ここで、ランバーサポート本体に、後方に変形可能な自由縁が上下に形成されているとは、ランバーサポート本体の上下に、左右方向の全長又は一部からなる自由縁が形成されていることを意味し、上下の自由縁は同じ長さでもよいし、異なる長さでもよい。                                                                  
【００１５】
請求項２に記載の発明は、請求項１に記載のランバーサポートであって、前記取付部材は、左右方向に延在し前記側枠部材を左右方向で連結する連結部と、前記連結部を支持するとともに前記側枠部材を前記背凭れに取付ける取付部とを備えることを特徴とする。
【００１６】
この発明に係るランバーサポートによれば、取付部材が、左右両方の側枠部材を連結する連結部を備えていて、側枠部材と取付部材とが一体的に形成されているので、側枠部と取付部の強度が向上してランバーサポート本体を安定して後方へ変形させることができ、ランバーサポート本体の変形許容度を向上することができる。
【００１７】
請求項３に記載の発明は、請求項１又は請求項２に記載のランバーサポートであって、前記側枠部材は、前記ランバーサポート本体の左右両側の縁部に向かって突出し、前記ランバーサポート本体と左右両側縁部とを係止する突出部を備えることを特徴とする。
【００１８】
この発明に係るランバーサポートによれば、側枠部材が、ランバーサポート本体の左右両側縁部を係止する突出部を備えているので、ランバーサポート本体を側枠部材と容易に接続、支持することができる。
【００１９】
請求項４に記載の発明は、請求項３に記載のランバーサポートであって、前記突出部は、前記ランバーサポート本体の左右両縁部と対応して前記側枠部材に複数形成され、少なくとも一部は、前記ランバーサポート本体内に進入して係止することを特徴とする。
【００２０】
この発明に係るランバーサポートによれば、突出部が、ランバーサポート本体の左右両縁部と対応して複数形成され、少なくとも一部がランバーサポート本体内に進入して係止するので、ランバーサポート本体を大きな強度で接続することができ、ひいてはランバーサポート本体に加わる荷重を充分に支持することができる。
【００２１】
この明細書において、突出部がランバーサポート本体内に進入するとは、突出部がランバーサポート本体に形成された凹部に挿入され、嵌合され、インサート成型等により埋設されることを含んでおり、突出部とランバーサポート本体の間に隙間が形成される場合には、間隙が充填剤等により充填される場合を含むものとする。
【００２２】
請求項５に記載の発明は、請求項４に記載のランバーサポートであって、前記ランバーサポート本体内に進入して係止する突出部は、周縁が閉じられた貫通孔を有する有孔係止壁部を備え、前記貫通孔に、前記ランバーサポート本体内に形成され前記ランバーサポート本体の厚さ方向に伸びる被係止部が貫通していることを特徴とする。
【００２３】
この発明に係るランバーサポートによれば、ランバーサポート本体内に進入して係止する突出部が、周縁が閉じられた貫通孔を有する有孔係止壁部を備え、貫通孔にランバーサポート本体内に形成されランバーサポート本体の厚さ方向に伸びる被係止部が貫通しているので、ランバーサポート本体を大きな強度で安定して支持することができる。また、この被係止部が孔の内方で移動したとしても、ランバーサポート本体が側枠部材から脱落するのを抑制することができる。
【００２４】
請求項６に記載の発明は、請求項１〜５のいずれか１項に記載のランバーサポートであって、前記背凭れの上下方向に沿って形成された左右一対の縦枠部材を備えた椅子に用いられ、前記取付部材の左右に延出し、前記縦枠部材と係合する翼壁部を備えることを特徴とする。
【００２５】
この発明に係るランバーサポートによれば、ランバーサポート本体の左右に延出する翼壁部が、左右の縦枠部材と係合することで、ランバーサポートを縦枠部材にしっかりと支持させることができる。また、翼壁部を介して側枠部と取付部材が連結することにより、ランバーサポートの強度を向上することができる。
また、翼壁部が、左右の縦枠部材をガイドとしてスライド可能に構成することにより、ランバーサポートの高さ調整を効率的に行うことができる。
【発明の効果】
【００２６】
本発明に係るランバーサポート及び椅子によれば、着座者が着座したときに、ランバーサポート本体が腰部と点接触して圧迫感が生じるのを抑制するとともに、腰部を適度に支持することができる。
【図面の簡単な説明】
【００２７】
【図１】本発明の第１実施形態に係る椅子を斜め前方から見た斜視図である。
【図２】本発明の第１実施形態に係る椅子の上部を後方から見た斜視図である。
【図３】本発明の第１実施形態に係る椅子の側面図であり、（ａ）は通常時を示す側面図であり、（ｂ）は着座者が背凭れに後傾した状態を示す図である。
【図４】本発明の第１実施形態に係る椅子を正面から見た図である。
【図５】本発明の第１実施形態に係る椅子において、着座者の腰部をランバーサポートにより支持した状態で使用する場合を説明する側面図である。
【図６】本発明の一実施形態に係る椅子の（ａ）通常時を上方から見た斜視図であり、（ｂ）幅方向一方側から後方へと振り向くような姿勢をとった場合を上方から見た斜視図である。
【図７】本発明の第１実施形態に係る椅子に関して、着座者が着座していない状態の図４におけるＰ−Ｐ断面を示す図である。
【図８】本発明の第１実施形態に係る椅子に関して、着座者が着座した状態の図４におけるＰ−Ｐ断面を示す図であり、（ａ）は着座者が正面を向いて着座した状態を示す図であり、（ｂ）は着座者が背中の上部を右側にねじって背凭れに凭れかかった状態を示す図である。
【図９】本発明の第１実施形態に係るランバーサポートを示す図であり、（ａ）は平面図を、（ｂ）は正面から見た図である。
【図１０】本発明の第１実施形態に係る椅子の図９（ｂ）におけるＱ−Ｑ断面を示す図であり、（ａ）はランバーサポート本体の縁部と側枠部材との間に間隙が形成された形態を、（ｂ）はランバーサポート本体の縁部と側枠部材が当接する変形例に係る形態を示す図である。
【図１１】本発明の第１実施形態に係るランバーサポートの概略構成を示す図であり、（ａ）は斜め前方から見た斜視図であり、（ｂ）は斜め後方から見た斜視図である。
【図１２】本発明の第１実施形態に係るランバーサポートの概略構成を説明する図であり、ランバーサポートの構成部材を斜め前方から見た斜視図である。
【図１３】本発明の第１実施形態に係るランバーサポートの概略構成を説明する図であり、ランバーサポートの構成部材を斜め後方から見た斜視図である。
【図１４】本発明の第１実施形態に係るランバーサポートを構成する位置決ブロックを説明する図であり、（ａ）は斜め前方から見た斜視図であり、（ｂ）は斜め後方から見た斜視図である。
【図１５】本発明の第１実施形態に係るランバーサポートを構成する取付ブロックを説明する図であり、（ａ）は斜め前方から見た斜視図であり、（ｂ）は斜め後方から見た斜視図である。
【図１６】本発明の第１実施形態に係るランバーサポート及び背凭れの概略構成を説明する斜視図であり、（ａ）はランバーサポートを背凭れに連結する前の状態を、（ｂ）はランバーサポートを背凭れに連結した状態を示す図である。
【図１７】本発明の第１実施形態に係るランバーサポート及び背凭れの要部詳細を説明する図であり、高さ調整機構を含む断面を側面から見た部分断面図である。
【図１８】本発明の第１実施形態に係るランバーサポート及び背凭れの要部詳細を説明する図であり、中央断面を側面から見た部分断面図である。
【図１９】本発明の第１実施形態に係るランバーサポート及び背凭れの要部詳細を説明する図であり、図１７におけるＲ−Ｒ断面における横断面図である。
【図２０】本発明の第２実施形態に係るランバーサポートを斜め前方から見た斜視図である。
【発明を実施するための形態】
【００２８】
（第１実施形態）
以下、本発明の第１実施形態に係る椅子について、図面を参照して説明する。
図１に示すように、本実施形態に係る椅子１は、床面Ｆ上に設けられた脚体１０と、該脚体１０に支持された背凭れ支持体２０と、該背凭れ支持体２０に設けられ着座者が着座可能な座部３０と、背凭れ支持体２０に支持された背凭れ後部支持部材４０と、該背凭れ後部支持部材４０に支持され着座者の背を支持する背凭れ５０と、背凭れ後部支持部材４０の前方に連結され着座者の腰部を支持するランバーサポート（身体支持部材）７０とを備えている。
【００２９】
以下、各構成の詳細を説明する。なお、以下の説明においては、着座者が着座、離座する方向を前後方向、着座者が着座する側を前方、反対側を後方とし、また、前後方向に直交する水平面内の方向を幅方向とし、幅方向に椅子から離間側を側方とする。
【００３０】
（脚体）
脚体１０は、床面Ｆ上を旋回可能なキャスタ１１が設けられた複数の脚杆１２と、該複数の脚杆１２に支持された脚柱１３とを備えている。複数の脚杆１２は、放射状に配されて基端で互いに連結されており、それぞれの先端にキャスタ１１が取り付けられている。脚柱１３は、下部が複数の脚杆１２の基端に連結されており、上方に向けて立設されている。また、この脚柱１３の上部には、背凭れ支持体２０を介して背凭れ後部支持部材４０を後傾可能とするリクライニング機構（不図示）が内蔵された支基１４が取り付けられている。
【００３１】
（背凭れ支持体）
背凭れ支持体２０は、支基１４の幅方向両側方に基部が枢着された一対の前向腕部２１と、該前向腕部２１の基部から上方に向かって延出するとともに座部３０を支持する一対の上向腕部２２と、該前向腕部２１の基部から後方に向かって延出する一対の後向腕部２３とを有している。
【００３２】
図２に示すように、この一対の後向腕部２３は、後方に向かうにしたがってしだいに互いに近接するように配され後端にて互いに連結されることで、一体として下向きＶ字状に配されている。そして、一対の後向腕部２３の後端は、後述する背凭れ後部支持部材４０の下部に固定されている。
【００３３】
また、図１に示すように、背凭れ支持体２０には、側方から上方に向かって延出する肘掛け２６が設けられている。
【００３４】
（座部）
図３に示すように、座部３０は、支基１４に対して前後方向にスライド可能に前部が支持されるとともに、背凭れ支持体２０の上向腕部２２に枢着されている。そして、支基１４のリクライニング機構により背凭れ支持体２０が後傾するにともない、座部３０は支基１４に対して相対的に後方に移動するとともに後側を下方に向かって傾動するように構成されている。
【００３５】
（背凭れ後部支持部材）
図２に示すように、背凭れ後部支持部材４０は、背凭れ支持体２０に連結された下部連結部４１と、該下部連結部４１から上方へ向かって延びる変形許容部４２と、該変形許容部４２の上端から上方に向かうにしたがってしだいに幅方向外側に広がるように配された上部連結部４３とを有する。
【００３６】
下部連結部４１は、下部後面に背凭れ支持体２０の一対の後向腕部２３の後端が嵌合する凹部（不図示）が形成されており、一対の後向腕部２３は該凹部に嵌合されている。そして、下部連結部４１は、該凹部にて背凭れ支持体２０の上部と例えば、ボルト・ナット（不図示）による螺着によって固定される。さらに下部連結部４１は、下端にて背凭れ５０に連結されている。
【００３７】
図１及び図４に示すように、変形許容部４２は、下端が下部連結部４１に連結され上方に向かって配され、上端が上部連結部４３に連結されている。また、変形許容部４２は、上方に向かうにしたがって幅方向の長さ寸法がしだいに狭くなり、途中から上方に向かうにしたがって幅方向の長さ寸法が再び広くなるように形成されている。
【００３８】
この変形許容部４２は、前面が凹面、後面が凸面となるように後方に向かって膨出して形成されている。そして、変形許容部４２は、凹面状の形成された前面に、前方に向かって突出し略水平方向に延在する横リブ４２Ａが上下方向に間隔をあけて複数形成され、また前方に向かって突出し略上下方向に延在する縦リブ４２Ｂが椅子１の幅方向に間隔をあけて複数形成されている。
【００３９】
本実施形態では、３本の横リブ４２Ａと横リブ４２Ａの下側に配置されランバーサポート７０と係合する係合リブ４０Ａが形成され、これら横リブ４２Ａ及び係合リブ４０Ａと交差するように縦リブ４２Ｂが２本形成されている。変形許容部４２では、水平断面が後方に向かって膨出する略円弧状に形成されることに加えて、これら横リブ４２Ａ及び縦リブ４２Ｂにより、剛性が高められている。
【００４０】
上部連結部４３は、下端が変形許容部４２に連結され、上方に向かうにしたがってしだいに幅方向外側に広がるように配されている。本実施形態では、上部連結部４３は、上方に向かうにしたがってしだいに互いに幅方向外側に離間するように配された一対の連結片４３Ａ、４３Ｂを有し、一対の連結片４３Ａ、４３Ｂによって全体としてＶ字状に形成されている。
【００４１】
図５に示すように、上記の下部連結部４１、変形許容部４２及び上部連結部４３を構成する一対の連結片４３Ａ，４３Ｂは、一体成形されており、背凭れ後部支持部材４０は、全体として側面視して後方に向かって膨出するように形成されている。なお、図５において、実線は着座者が凭れた場合の状態を、二点鎖線は着座者が凭れていない状態を示している。
【００４２】
つまり、下部連結部４１は、湾曲しつつ全体として上方に向かうにしたがって後方へと向かうように傾斜している。また、上部連結部４３を構成する一対の連結片４３Ａ、４３Ｂは、湾曲しつつ上方に向かうにしたがって前方へと向かうように傾斜している。そして、変形許容部４２は、湾曲しつつ、上部連結部４３と下部連結部４１とを連結している。
【００４３】
（背凭れ）
図２に示すように、背凭れ５０は、着座者の背を受ける張り材５１と、該張り材５１が取り付けられ背凭れ後部支持部材４０における上部連結部４３と連結された上枠部５２と、該上枠部５２と連結されるとともに張り材５１が取り付けられた一対の縦枠部５３Ａ，５３Ｂ（５３）とを有する。
【００４４】
張り材５１は、着座者の背を受け、背の姿勢に応じて変形可能な可撓性を有する部材で構成されている。具体的には、本実施形態ではメッシュ状の素材で形成されているおり、メッシュを構成する糸材が弾性的に伸縮することにより、全体として弾性的に撓み変形可能となっている。この張り材５１は、上枠部５２と一対の縦枠部５３とで囲まれた部分に設けられ、端部がこれら上枠部５２及び一対の縦枠部５３に固定されている。
【００４５】
上枠部５２は、幅方向に沿って延在して、その両端が上部連結部４３における一対の連結片４３Ａ，４３Ｂの上端にそれぞれ連結されるとともに、一対の縦枠部５３Ａ，５３Ｂの上端にそれぞれ連結されている。
【００４６】
一方の縦枠部５３Ａは、下材５７Ａと、該下材５７Ａの上端に連結されて張り材５１から作用する力で弾性変形可能な上材５６Ａとを有している。同様に、他方の縦枠部５３Ｂも、下材５７Ｂと、該下材５７Ｂの上端に連結されて張り材５１から作用する力で弾性変形可能な上材５６Ｂとを有している。
【００４７】
図２及び図５に示すように、下材５７Ａ、５７Ｂは、下端が背凭れ後部支持部材４０の下部連結部４１に連結され、上方に向かうにしたがって、しだいに前方向かい且つ幅方向外側に拡開するように形成されている。また、下材５７Ａ、５７Ｂのそれぞれは、上方に向かうにしたがって、断面寸法が小さくなるように形成されている。
【００４８】
上材５６Ａ，５６Ｂは、着座者の背から作用する荷重に応じて弾性的に捩れ変形可能、且つ弾性的に撓み変形可能に構成されている。
【００４９】
この上材５６Ａ、５６Ｂは、下端がそれぞれ対応する下材５７Ａ、５７Ｂに連結され、上端が上枠部５２及び背凭れ後部支持部材４０の一対の連結片４３Ａ、４３Ｂに連結され、上方に向かうにしたがって下材５７Ａ、５７Ｂよりも相対的に後方へ傾斜するように形成されている。
【００５０】
上材５６Ａ、５６Ｂは、本実施形態では、下材５７Ａ、５７Ｂの上端から上方に向かうにしたがってしだいに後方に傾斜するように形成されている。
【００５１】
このように縦枠部５３Ａ，５３Ｂは、下材５７Ａ，５７Ｂにより下部から上方に向かうにしたがってしだいに前方に向かうように形成されるとともに、該下材５７Ａ，５７Ｂと上材５６Ａ，５６Ｂとの連結部分から上材５６Ａ，５６Ｂにより上方に向かうにしたがってしだいに前方に向かうように形成されており、縦枠部５３Ａ，５３Ｂは、全体として前方に向かって凸となるように湾曲形成されている。
【００５２】
図２に示すように、上記の背凭れ後部支持部材４０と縦枠部５３とは、側面視して環状に一体成形されている。本実施形態では、背凭れ後部支持部材４０の下部連結部４１、変形許容部４２、一方の連結片４３Ａ、一方の縦枠部５３Ａの上材５６Ａ及び下材５７Ａにより、側面視して環状の第一の環状部６１を構成している。
【００５３】
また、背凭れ後部支持部材４０の下部連結部４１、変形許容部４２、他方の連結片４３Ｂ、他方の縦枠部５３Ｂの上材５６Ｂ及び下材５７Ｂにより、側面視して環状の第二の環状部６２を構成している。
【００５４】
そして、これら第一の環状部６１及び第二の環状部６２は、下部連結部４１及び変形許容部４２で連結されるとともに、全体として一体成形されている。また、上枠部５２も、第一の環状部６１及び第二の環状部６２のそれぞれの上端を連結されるように一体成形されている。
【００５５】
すなわち、本実施形態では、背凭れ後部支持部材４０の各部と、背凭れ５０の上枠部５２及び一対の縦枠部５３Ａ，５３Ｂとが一体成形されている。
【００５６】
また、図７に示すように、縦枠部５３Ａ，５３Ｂには、その幅方向外側から内側に向かって切り込み部５４Ａ，５４Ｂが形成され、該切り込み部５４Ａ，５４Ｂに張り材５１の幅方向端部が挟み込まれるとともに固定されている。
【００５７】
（ランバーサポート）
ランバーサポート７０は、図３（ａ）、図７に示すように、背凭れ５０を構成する張り材５１の後方側において背凭れ後部支持部材４０の前方側に連結され、側面から見て背凭れ５０の前方に向かって膨出するとともに、この実施形態においては、ランバーサポート７０と張り材５１が接触しないように張り材５１との間に間隙が形成されるように構成されている。
【００５８】
また、ランバーサポート７０は、図９、図１１に示すように、例えば、ランバーサポート本体（サポート部材）７１と、左右一対の側枠部材（面材支持部材）７３Ａ、７３Ｂ（７３）と、取付部材８０と、連結部材９０とを備え、ランバーサポート本体７１は、左右両側の縁部７１Ａ、７１Ｂに位置する支持部にて側枠部材７３Ａ、７３Ｂ（７３）に接続されている。
【００５９】
また、ランバーサポート７０は、側枠部材７３Ａ、７３Ｂ（７３）を取付部材８０によって保持し、取付部材８０に取付けられた連結部材９０を介して背凭れ後部支持部材４０に連結されるようになっている。
【００６０】
また、ランバーサポート７０は、ランバーサポート本体７１の上縁及び下縁の後方が背凭れ５０と間隙が形成されるようになっている。具体的には、ランバーサポート本体７１の上縁及び下縁は、取付部材８０との間に間隙７０Ｈ、７０Ｊが形成されて自由縁とされて、左側の縁部７１Ａと右側の縁部７１Ｂの間においてランバーサポート本体７１の上下方向全域が後方に変形されやすくなっている。
【００６１】
ランバーサポート本体７１は、図１１〜図１３に示すように、例えば、半透明等の透光性を有するウレタン樹脂やエラストマ等の弾性変形可能な軟質材からなり、背凭れ５０の左右方向に延在するシート状の面材とされている。また、左右両側の縁部７１Ａ、７１Ｂの端面から、側枠部材７３Ａ、７３Ｂ（７３）に形成された突出部７５が進入されて側枠部材７３に取付けられ、側枠部材７３の支持形状部に沿うことで、前方に膨出するように形成されている。
【００６２】
側枠部材７３は、側面から見て背凭れ５０の前方に膨出する支持形状部が形成されるとともにランバーサポート本体７１が取付けられる左右一対の側枠部材本体７４Ａ、７４Ｂ（７４）と、左右の側枠部材本体７４Ａ、７４Ｂから突出しランバーサポート本体７１の左右の縁部７１Ａ、７１Ｂに向かって伸びる突出部７５と、差込部７７Ａ、７７Ｂ（７７）とを備えている。
【００６３】
突出部７５は、この実施形態において、側枠部材本体７４Ａ、７４Ｂ（７４）に形成された支持形状部に沿って複数形成されて、ランバーサポート本体７１の左右縁部７１Ａ、７１Ｂを係止するようになっている。かかる構成により、ランバーサポート本体７１は、前方に向かって膨出するようになっている。
【００６４】
突出部７５は、弾性変形可能な材料により形成され、例えば、図１２、図１３に示すように、側枠部材本体７４Ａ、７４Ｂ（７４）から突出する複数の舌片状突出部７５Ａと、この舌片状突出部７５Ａを一つおきに周囲を囲むとともに、囲んだ舌片状突出部７５Ａとの間に貫通孔７６Ｕが画成される有孔係止壁部からなる複数の有孔係止壁部７５Ｂとを備えており、隣接する有孔係止壁部７５Ｂの間は、有孔係止壁部７５Ｂで囲まれていない両隣の舌片状突出部７５Ａとの間に形成される切込７６Ｙにより離間されている。
【００６５】
突出部７５は、例えば、ランバーサポート本体７１を形成する際に、インサート成形することによりランバーサポート本体７１の縁部７１Ａ、７１Ｂの端面からランバーサポート本体７１内に進入するように形成されている。
そして、インサート成形時に、ランバーサポート本体７１の内において、図１０（ａ）、（ｂ）に示すように、貫通孔７６Ｕを通じて突出部７５の厚さ方向に一体成形される壁部（被係止部）７１Ｇによりランバーサポート本体７１を支持するようになっている。
【００６６】
差込部７７Ａ、７７Ｂ（７７）は、側枠部材本体７４Ａ、７４Ｂ（７４）の後方側端部から左右方向内方に屈曲して伸びて形成されており、取付部材８０と連結するための嵌挿係合部を有している。
【００６７】
また、図１０（ａ）に示すように、ランバーサポート本体７１の左右両側の縁部７１Ａ、７１Ｂの端面と側枠部材本体７４Ａ、７４Ｂ（７４）の間には、それぞれ間隙Ｇが形成されていて、ランバーサポート本体７１が突出部７５によって接続されている。
なお、図１０（ｂ）に示すように、ランバーサポート本体７１の縁部７１Ａ、７１Ｂの端面と側枠部材本体７４Ａ、７４Ｂ（７４）の間に間隙Ｇを形成せずに、互いの端部が当接する構成としてもよい。
【００６８】
取付部材８０は、左右方向に延在し左右の側枠部材７３Ａ、７３Ｂ（７３）を連結する連結部８１と、連結部８１の左右方向の中央部において連結され上下方向に延在し連結部材９０を介して背凭れ後部支持部材４０に取付けられる取付部８５とを備えている。
【００６９】
連結部８１は、左右両端部に側枠部材保持部８２Ａ、８２Ｂ（８２）を有しており、側枠部材保持部８２に側枠部材７３の差込部７７を嵌挿することにより側枠部材７３を保持するように構成されている。
【００７０】
また、取付部８５は、前後方向に貫通し上下方向に伸びる連結部材取付孔８５Ｈが形成されるとともに、連結部材取付孔８５Ｈの左右両側周縁部に前後方向に曲線的に凹凸を繰り返す波状形状部８５Ａが形成されている。
【００７１】
図９、図１１に示すように、側枠部材７３を保持側枠部材保持部８２に嵌挿しての取付け部材８０と一体化した状態で、ランバーサポート本体７１の上縁側は、左右の側枠部材７３Ａ、７３Ｂ（７３）を介して取付部材８０と接続され、ランバーサポート本体７１の上縁の左右方向において、側枠部材７３Ａと側枠部材７３Ｂの間に間隙７０Ｈが形成されるようになっている。
【００７２】
また、一方、ランバーサポート本体７１の下縁側は、取付部材８０の連結部８１に対して側枠部材本体７４Ａ、７４Ｂ（７４）を介して片持ちで支持されていて、左右方向において、左右の側枠部材７３Ａ、７３Ｂ（７３）を含めて取付け部材８０との間に間隙８０Ｊが形成されている。
【００７３】
連結部材９０は、位置決ブロック９１と、取付ブロック９５と、固定ねじ９０Ｐとを備えていて、ランバーサポート７０を背凭れ後部支持部材４０に連結するとともに、ランバーサポート７０の上下方向の高さを調整可能とされている。
位置決ブロック９１及び取付ブロック９５は、取付部材８０を前方及び後方から挟みこむように装着され、固定ねじ９０Ｐにより固定されるようになっている。
【００７４】
位置決ブロック９１は、図１４に示すように、位置決ブロック本体９２に、長手方向（上下方向）と直交する断面において後方の左右方向中央側が突出し、長手方向に延在する凸部９２Ｓが形成されていて、固定ねじ９０Ｐが螺合される２つのねじ取付孔９２Ｈが長手方向に間隔をあけて形成されている。
【００７５】
また、位置決ブロック本体９２は、左右両側の縁部近傍には長穴９２Ｂが形成され、長穴９２Ｂの幅方向外方に弾性変形部９２Ｃが構成されるとともに、それぞれの弾性変形部９２Ｃには長手方向中央に後方に向かって突出し、取付部材８０の波状形状部８５Ａと係合する位置決凸部９３が形成されている。この波状形状部８５Ａと位置決凸部９３は、ランバーサポート７０を上下方向にスライドさせて段階的に位置決めされる高さ調整機構を構成している。
【００７６】
この高さ調整機構によれば、図１８に示すように、ランバーサポート７０を、矢印に沿って上下方向に移動した場合に、位置決凸部９３が波状形状部８５Ａの凹部に係合して係止され、高さ調整をすることができるようになっている。
【００７７】
取付ブロック９５は、図１５に示すように、取付ブロック本体９６に、長手方向と直交する断面において前方の左右方向中央側が突出し、長手方向に延在する凸部９６Ｓが形成されていて、固定ねじ９０Ｐを通すための２つの貫通孔９６Ｈが長手方向に間隔をあけて形成されている。
また、凸部９６Ｓは、位置決ブロック９１の凸部９２Ｓと当接することで、位置決ブロック９１と取付ブロック９５の厚さ方向の位置精度を確保するように構成されている。
【００７８】
また、取付ブロック本体９６の上下方向下側には、取付ブロック本体９６から後方に向かって突出し第１係合部を構成する第１係合壁部９７が形成され、第１係合壁部９７の先端部には下側（第２係合部と反対側）に突出する第１係合凸片９７Ａが形成されるとともに、下側に開口する略Ｕ字状の第１係合形状部９７Ｕを有している。
【００７９】
また、第１係合凸片９７Ａの先端は、取付ブロック本体９６の下端より上方に位置している。すなわち、取付ブロック本体９６の下端は、第１係合凸片９７Ａの先端よりも下方側に長く形成されている。
【００８０】
また、取付ブロック本体９６の長手方向の上側（第２の位置）には、第２係合部を構成する取付ブロック本体９６から後方に突出する第２係合壁部９８と、チャネル状壁部９９が形成されていて、この第２係合壁部９８の上側（第１係合部と反対側）には、凹部９８Ｕが形成されている。また、第２係合壁部９８の上側には、外部から第２係合壁部９８を弾性変形させるための解除孔９６Ｊが形成されている。
【００８１】
また、チャネル状壁部９９は、第２係合壁部９８に対して取付ブロック本体９６の長手方向下側（第１係合壁部９７側）には、後方側から見て上方が開口するチャネル状に形成され、第２係合壁部９８の左右に配置されるガイド壁部９９Ａ、９９Ｂと第２係合壁部９８の下方に配置される下側ガイド壁部９９Ｃとを有している。
【００８２】
上記構成の連結部材９０を備えたランバーサポート７０は、図１６に示すように、背凭れ後部支持部材４０に、容易に連結させることができる。したがって、背凭れ５０の張り材５１と背凭れ後部支持部材４０の間においても、ランバーサポート７０の装着、及び取り外しを容易に行うことができる。
【００８３】
図１７〜図１９に示すように、第１被係合壁部９７は、背凭れ後部支持部材４０に第１係合壁部９７と対応する位置に形成された係合孔４０Ｈの下側に位置する背凭れ後部支持部材４０の端部４０Ｆからなり、第１係合壁部９７に形成された係合凸片９７Ａを係合孔４０Ｈに挿入して、第１係合形状部９７Ｕを端部４０Ｆと当接させることで、第１の係合部と第１被係合部が係合するようになっている。このとき、第１係合部と第２係合部の間が、ランバーサポート７０と背凭れ後部支持部材４０が互いの対向面９６Ｃと４０Ｃで当接するようになっている。
【００８４】
また、第２被係合壁部９８は、背凭れ後部支持部材４０に形成され前方に向かって突出する係合リブ４０Ａと、第２被係合壁部９８の上側（第２係合壁部９８の第１係合部と反対側）面と係合リブ４０Ａの下側面の面が対向するように位置させて、第２係合壁部９８を下側に弾性変形させて、係合リブ４０Ａの途中から下方に突出する凸部４０Ｂを凹部９８Ｕに挿入させることで、第２係合部と第２被係合部が係合するようになっている。
【００８５】
また、第２被係合部は、係合リブ４０Ａの下方に、係合リブ４０Ａ、縦リブ４２Ｂとともに、第２係合壁部９８と、チャネル状壁部９９の下側ガイド壁部９９Ｃを収容する上側に円弧状に突出する収容壁部４０Ｅが形成されていて、第２係合壁部９８及びチャネル状壁部９９の下側ガイド壁部９９Ｃが、係合リブ４０Ａ、縦リブ４２Ｂ、収容壁部４０Ｅにより画成される収容凹部に形成されることにより、ランバーサポート７０が、背凭れ後部支持部材４０に確実に連結されるようになっている。
【００８６】
上記第１係合部を構成する第１係合壁部９７を背凭れ後部支持部材４０に形成された第１被係合部と係合させて、第１係合壁部９７を端部４０Fと係合させた状態で連結部材９０の第２係合部側を後方に回動させ、第２係合部を構成する第２係合壁部９８を係合リブ４０Ａに向かって回動するとともに、第２係合壁部９８を係合リブ４０Ａによって弾性変形させて、第２係合壁部９８が背凭れ後部支持部材４０に形成された第２被係合部と係合することで、ランバーサポート７０が背凭れ後部支持部材４０に連結されるようになっている。また、第１係合壁部９７及び第２係合壁部９８が第１被係合部及び第２被係合部に係合された状態で、第１係合壁部９７は第２係合部側に、第２係合壁部９８は第１係合部側に支持されるようになっている。
【００８７】
ランバーサポート７０は、背凭れ後部支持部材４０に堅牢に支持されることから、左右の縦枠部５３Ａ、５３Ｂ（５３）が変形した場合でも縦枠部５３に比較して変形しにくく、その結果、弾性変形に大きな力を要するので、着座者が凭れかかっても着座者の腰部をしっかりと支持することができる。
【００８８】
次に、図３、図５、図６、図７、図８を参照して、椅子１の座部３０に着座者が着座して、背凭れ５０に凭れかかった場合における作用を説明する。
【００８９】
図３（ａ）及び図７は着座者が座部３０に着座して背凭れ５０に凭れかかっていない状態の椅子１を示し、図５、図６（ａ）及び図８（ａ）は着座者が背凭れ５０に凭れかかった状態を示している。
【００９０】
着座者が背凭れ５０に凭れかかると、背凭れ５０の張り材５１に着座者からの力が作用し、この力により張り材５１のメッシュを構成する糸材が弾性的に伸縮することにより、全体として着座者の背に沿うようにして、幅方向略中央部が後方に向かって突出するように円弧状に弾性変形する。
【００９１】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【００９２】
一方、上枠部５２の幅方向両端部に連結された一対の縦枠部５３Ａ，５３Ｂは、張り材５１から作用する力により弾性変形するため、着座者の荷重にしたがって着座者の背に追従するように変形して背を張り材５１とともに包み込むように受け止めるとともに、ランバーサポート７０が後方に弾性変形しながら着座者の腰部を後方で支持する。このため、着座者は、安定した状態で着座することができる。
【００９３】
ランバーサポート７０は、背凭れ後部支持部材４０に堅牢に支持されることから、左右の縦枠部５３Ａ、５３Ｂ（５３）が変形した場合でも縦枠部５３に比較して変形しにくく、その結果、弾性変形に大きな力を要するので、着座者が凭れかかっても着座者の腰部をしっかりと支持することができる。
【００９４】
また、縦枠部５３Ａ，５３Ｂを構成する上材５６Ａ，５６Ｂは、張り材５１から作用する力により弾性変形するため、着座者の荷重にしたがって着座者の背に追従にするように変形して背を張り材５１とともに包み込むように受け止めることができる。
【００９５】
また、着座者が、図６（ｂ）に示すように、背凭れ５０の幅方向一方側から後方へと振り向くような姿勢をとった場合には、図８（ｂ）に示すように、着座者からの荷重が、背凭れ５０の幅方向一方側に偏って作用し、偏った側の縦枠部５３Ｂに対して縦枠部５３Ｂを捩れ変形させる荷重が作用する。
【００９６】
ここで、縦枠部５３Ｂにおける上材５６Ｂが、背凭れ５０から作用する力で捩れ変形可能に構成されている。また、連結片４３Ａ，４３Ｂが下方に向かうにしたがって離間する幅を狭めるように形成され互いに接合されて変形許容部４２に連結されているため、変形許容部４２は上材５６Ｂの捩れ変形を促す構成とされている。よって、上材５６Ｂが着座者の荷重にしたがって着座者の背に追従するように後側方に向かって捩れて変形する。
【００９７】
また、上材５６Ｂに連結された連結片４３Ｂは、上材５６Ｂの捩れにともなって変位可能に構成されているため、縦枠部５３Ｂの後側方に向かう捩れにともなって後側方へと変位する。
背凭れ５０における張り材５１は、着座者からの荷重により、該張り材５１のメッシュを構成する糸材が弾性的に伸縮して、着座者の背を包み込むように弾性変形する。
【００９８】
また、ランバーサポート７０は、着座者が凭れかかることにより、ランバーサポート本体７１の上下の自由縁が後方に変形して隙間７０Ｈ、７０Ｇが小さくなる。そして、隙間７０Ｈ、７０Ｇが小さくなるので、ランバーサポート本体７１は、上下方向の全域にわたって、左右方向から着座者を包み込むように変形する。
【００９９】
第１の実施形態に係るランバーサポート７０及び椅子１によれば、着座者が着座したときに、ランバーサポート本体７１が腰部に圧迫感が生じさせるのを抑制するとともに、腰部を適度に支持することができる。
【０１００】
また、ランバーサポート７０及び椅子１によれば、ランバーサポート本体７１の後方に変形可能な自由縁が上下に形成されているので、ランバーサポート本体７１の変形許容度が大きくなり、ランバーサポート本体７１の上下方向の広い範囲にわたって、ランバーサポート本体７１を、左右方向両側から中央部を囲うように変形する。
その結果、着座者が着座したときに、ランバーサポート本体７１が腰部と点接触することが抑制される。
【０１０１】
また、ランバーサポート７０及び椅子１によれば、取付部材が、左右両方の側枠部材を連結する連結部を備えていて、側枠部材と取付部材とが一体的に形成されているので、側枠部と取付部の強度が向上してランバーサポート本体を安定して後方へ変形させることができ、ランバーサポート本体の変形許容度を向上することができる。
【０１０２】
なお、ランバーサポート本体７１は、着座者が着座して張り材５１が後方に変形する場合に、張り材５１が側枠部材７３よりも先にランバーサポート本体７１に当接しうるように、張り材５１の曲率をランバーサポート本体７１よりも大きくし、又は張り材５１が後方に膨出する量よりもランバーサポート本体７１が前方に膨出するように構成してもよい。
【０１０３】
また、ランバーサポート７０及び椅子１によれば、側枠部材が、ランバーサポート本体の左右両側縁部を係止する突出部を備えているので、ランバーサポート本体を側枠部材と容易に接続、支持することができる。
【０１０４】
また、ランバーサポート７０及び椅子１によれば、突出部７５が、ランバーサポート本体７１の左右両縁部７１Ａ、７１Ｂと対応して支持部材本体７４に支持形状部に沿って複数形成されていて、ランバーサポート本体７１内に進入して係止するので、ランバーサポート本体７１を大きな強度で接続し、ひいてはランバーサポート本体７１に加わる荷重を充分に支持することができる。
【０１０５】
また、ランバーサポート１７０によれば、ランバーサポート本体７１内に進入して係止する突出部７１Ｂが、周縁が閉じられた貫通孔７６Ｕを有する有孔係止壁部７５Ｂを備え、貫通孔７６Ｕにランバーサポート本体７１内に形成され厚さ方向に伸びる壁部７１Ｇが貫通しているので、ランバーサポート本体７１を大きな強度で安定して支持することができる。また、この壁部７１Ｇが貫通孔７６Ｕの内方で移動したとしても、ランバーサポート本体７１が側枠部材７３から脱落するのを抑制することができる。
【０１０６】
また、ランバーサポート７０によれば、突出部７５がランバーサポート本体７１の面方向に弾性変形可能とされ、ランバーサポート本体７１と側枠部材７３とが接続される支持部が硬くなりすぎることが抑制されるので、ランバーサポート本体７１の支持部における弾性変形許容度が大きくなり、ランバーサポート本体７１の身体支持面の大きな範囲にわたって充分な弾性変形許容度を確保することができる。
【０１０７】
また、ランバーサポート本体７１が、エラストマ等の弾性変形可能な軟質材により形成されているので、ランバーサポート本体７１自体に大きな弾性変形許容度を確保することができ、身体支持面に充分な柔軟性を確保することができる。
【０１０８】
また、ランバーサポート７０によれば、ランバーサポート本体７１に面方向の大きな弾性変形が得やすくなり、ランバーサポート７０の膨出した部分と対応する側枠部材７３の支持形状部に沿って弾性変形するので、ランバーサポート本体７１の大きな範囲において大きな弾性許容度が確保され、身体支持面の大きな範囲にわたって身体を柔軟に支持することができる。
【０１０９】
さらに、着座者が幅方向一方側から後方へと振り向くような姿勢をとった場合には、着座者からの荷重は、背凭れ５０の幅方向一方側に偏って作用し、偏った側の縦枠部５３Ａ，５３Ｂに対して縦枠部５３Ａ，５３Ｂを捩れ変形させる荷重が作用する。
【０１１０】
縦枠部５３Ａ，５３Ｂの上材５６Ａ，５６Ｂは、張り材５１から作用する力により捩れ変形するため、着座者の荷重にしたがって着座者の背や肩の変形に追従にするように変形して背を張り材とともに包み込むように受け止めて、背凭れ５０を後方へと傾斜させることができる。
【０１１１】
また、着座者からの荷重が背凭れ５０の張り材５１から一対の縦枠部５３Ａ，５３Ｂに伝えられると、縦枠部５３Ａ，５３Ｂの上材５６Ａ，５６Ｂは捩れ変形する。上材５６Ａ，５６Ｂと連結された一対の連結片４３Ａ，４３Ｂは、上材５６Ａ，５６Ｂの捩れ変形にともなって変位する。
【０１１２】
よって、幅方向一方側から後方へと振り向くような姿勢をとった場合には、一方側の上材５６Ａ，５６Ｂが捩れ変形するとともに一方側の連結片４３Ａ，４３Ｂが変位して、背を張り材とともに包み込むように受け止めることができるため、着座者の背や肩に変形に追従した状態で安定的に支持することができる。
【０１１３】
以上のように、第１の実施形態に係るランバーサポート７０によれば、ランバーサポート本体７１の大きな範囲において大きな弾性許容度を確保して、大きな範囲にわたって身体を柔軟に支持することができる。
また、第１の実施形態に係る椅子１によれば、面材が着座者の荷重に追従しやすく、着座者の荷重を充分に受けることができるので、座り心地の優れた椅子を提供することができる。
【０１１４】
（第２実施形態）
以下、図２０を参照して、本発明の第２実施形態に係るランバーサポート１７０について説明する。
第２の実施形態に係るランバーサポート１７０が、第１の実施形態に係るランバーサポート７０と異なるのは、ランバーサポート１７０が、取付部材８０から左右方向に延在する翼壁部１７２Ａ、１７２Ｂ（１７２）を備え、左右の翼壁部１７２Ａ、１７２Ｂ（１７２）には前方側に突出し後方側に凹部が形成されたガイド受部１７３Ａ、１７３Ｂ（１７３）が形成されている点である。
【０１１５】
また、翼壁部１７２Ａ、１７２Ｂ（１７２）は、左右の側枠部材７３Ａ、７３Ｂ（７３）の下側と、側枠部材７３の全長にわたって接続されている。
また、ガイド受部１７３Ａ、１７３Ｂ（１７３）は、左右の縦枠部材５３Ａ、５３Ｂ（５３）に摺動可能に支持され、縦枠部材５３Ａ、５３Ｂ（５３）をガイドとしてスライド可能とされている点である。その他は、第１の実施形態と同様であるので、同じ符号を付して説明を省略する。
【０１１６】
第２の実施形態に係るランバーサポート１７０によれば、ランバーサポート本体７１の左右に延出する翼壁部１７２Ａ、１７２Ｂ（１７２）が、左右の縦枠部材５３Ａ、５３Ｂ（５３）と係合して、ランバーサポート１７０が縦枠部材５３Ａ、５３Ｂ（５３）にしっかりと支持されるので、翼壁部を介して側枠部と取付部材が連結することにより、ランバーサポートの強度を向上することができる。
【０１１７】
また、翼壁部１７２Ａ、１７２Ｂ（１７２）のガイド受部１７３Ａ、１７３Ｂ（１７３）が、左右の縦枠部材５３Ａ、５３Ｂ（５３）をガイドとしてスライド可能とされているので、ランバーサポート１７０の高さ調整を効率的に行うことができる。
【０１１８】
なお、このように、翼壁部１７２Ａ、１７２Ｂ（１７２）が、左右の縦枠部材５３Ａ、５３Ｂ（５３）により支持される構成とする場合においては、ランバーサポート７０を、連結部材９０によらずに翼壁部１７２Ａ、１７２Ｂ（１７２）により背凭れ５０に連結してもよい。
【０１１９】
なお、この発明は、上記実施の形態に限定されるものではなく、発明の趣旨を逸脱しない範囲において、種々の変更をすることが可能である。
例えば、上記実施の形態においては、着座者が着座していない状態で、ランバーサポート７０が張り材５１と接触しないように構成される場合について説明したが、着座者が着座していない状態で、ランバーサポート７０が張り材５１と接触するように構成してもよい。
【０１２０】
また、上記実施の形態においては、舌片状突出ｂ７５Ａと有効係止壁部７５Ｂを備えた突出部７５により、ランバーサポート本体７１を支持する場合について説明したが、ランバーサポート本体７１と側枠部材７３を突出部７５以外により接続してもよい。
【０１２１】
また、上記実施の形態においては、面材支持部材を構成する側枠部材７３に突出部が形成される場合について説明したが、突出部が面材を構成するランバーサポート本体７１に形成される構成としてもよい。
【０１２２】
また、突出部７５を複数の形状とするか、また複数の突出部を有する構成とするかは、任意に設定することができる。
また、上記実施の形態においては、突出部７５が、有孔係止壁部７５Ｂを備える場合について説明したが、貫通孔が形成されない突出部のみとすることもできる。
【０１２３】
また、上記実施の形態においては、取付部材８０が、左右方向に延在する連結部８１と、連結部を支持する取付部８５とを備え、連結部材９０により背凭れ５０（具体的には、背凭れ後部支持部材４０に連結する場合について説明したが、取付部材８０を平板等により構成してもよいし、連結部材９０によらずに背凭れに連結してもよい。
また、連結部材９０が第１係合壁部９７、第２係合壁部９８を備える場合について説明したが、どのような連結構造とするかは任意に設定することができる。
【０１２４】
また、上記実施の形態においては、連結部材９０の第２係合部が、第２係合壁部９８を下向きに弾性変形させて、係合リブ４０Ａに形成された凸部４０Ｂに係合させることにより係合させる場合について説明したが、凸部４０Ｂがリブに形成されることは必須ではなく、例えば、第１係合部のように、挿入孔を形成することにより後部支持部材４０を構成する壁部（上側又は下側の端部）により構成してもよい。
【０１２５】
また、上記実施の形態においては、ランバーサポート本体７１が、側枠部材７３Ａ、７３Ｂ（７３）の上部で取付部材８０と片持ち状態で連結される場合について説明したが、例えば、取付部材８０の下部に左右方向に延在する連結部を設けて側枠部材７３Ａ、７３Ｂ（７３）の下部と連結した状態で、ランバーサポート本体７１の上下縁と取付部材８０との間に間隙を形成し、上下縁を自由縁としてもよい。
【０１２６】
また、側枠部材７３Ａ、７３Ｂ（７３）の上部と取付部材８０との連結をさせずに、側枠部材７３Ａ、７３Ｂ（７３）の下部のみで取付部材８０と片持ち状態で連結される構成としてもよい。
【０１２７】
また、上記実施の形態においては、ランバーサポート７０を、張り材５１の後方にて背凭れ後部支持部材４０に取付ける場合について説明したが、ランバーサポート７０が張り材５１の前方側に配置してもよい。
【０１２８】
また、ランバーサポート本体７１がエラストマ等の軟質材である場合について説明したが、他の材料としてもよいし、透光性を有しない材料により構成してもよい。
【産業上の利用可能性】
【０１２９】
本発明に係る面材取付構造、身体支持部材及び椅子連結構造によれば、身体支持面のできるだけ大きな範囲にわたって充分な弾性変形許容度を確保することができるので、産業上利用可能である。
【符号の説明】
【０１３０】
１  椅子
４０  背凭れ後部支持部材
４１  下部連結部
４３  上部連結部
５０  背凭れ
５１  張り材
７０、１７０  ランバーサポート
７１  ランバーサポート本体（サポート部材）
７１Ｇ  壁部（被係止部）
７３  側枠部材（面材支持部材）
７５  突出部
７５Ａ  舌状突出部（突出部）
７５Ｂ  環状突出部（有孔係止壁部、突出部）
７６Ｕ  貫通孔
７６Ｙ  切込  
９７  第１係合壁部
９８  第２係合壁部
１７２  翼壁部
【図１】
2014079519.tif 000003
【図２】
2014079519.tif 000004
【図３】
2014079519.tif 000005
【図４】
2014079519.tif 000006
【図５】
2014079519.tif 000007
【図６】
2014079519.tif 000008
【図７】
2014079519.tif 000009
【図８】
2014079519.tif 000010
【図９】
2014079519.tif 000011
【図１０】
2014079519.tif 000012
【図１１】
2014079519.tif 000013
【図１２】
2014079519.tif 000014
【図１３】
2014079519.tif 000015
【図１４】
2014079519.tif 000016
【図１５】
2014079519.tif 000017
【図１６】
2014079519.tif 000018
【図１７】
2014079519.tif 000019
【図１８】
2014079519.tif 000020
【図１９】
2014079519.tif 000021
【図２０】
2014079519.tif 000022